(57)【要約】【課題】靴や服などがステップとスカートガードの間に引き込まれる前に警報を発する安価なエスカレータ引き込まれ防止装置を得る。【解決手段】この発明に係るエスカレータ引き込まれ防止装置は、インナーデッキの側面に固定されるとともにステップの上面のデマケーションクリートまたはクリートライザとの間の距離を計測する距離センサと、計測された距離が不規則に変化したときステップとスカートガードの間に異物が近づいていると判断する異物接近検知部と、異物が近づいていると判断したとき注意を喚起する注意換気部と、を備える。【選択図】図１
2011178525.tif 000002
【特許請求の範囲】
【請求項１】
インナーデッキの側面に固定されるとともにステップの上面のデマケーションクリートまたはクリートライザとの間の距離を計測する距離センサと、
計測された距離が不規則に変化したときステップとスカートガードの間に異物が近づいていると判断する異物接近検知部と、
異物が近づいていると判断したとき注意を喚起する注意換気部と、
を備えることを特徴とするエスカレータ引き込まれ防止装置。
【請求項２】
上記距離センサが後続して移動する上記ステップの計測に移ったときを基準点として基準とする距離と計測した距離との差分を求めることを特徴とする請求項１に記載のエスカレータ引き込まれ防止装置。
【請求項３】
上記ステップの進行方向に対して線対称の位置に２つの距離センサを配置することを特徴とする請求項１に記載のエスカレータ引き込まれ防止装置。
【発明の詳細な説明】
【技術分野】
【０００１】
この発明は、エスカレータのステップとスカートガードの間に靴や服などが引き込まれることを防止するエスカレータ引き込まれ防止装置に関するものである。
【背景技術】
【０００２】
エスカレータでは、利用者がスカートガードに近づき過ぎていることに気づかず、靴や服などがスカートガードとステップの間に引き込まれることにより利用者災害が発生する可能性がある。
そこで、インナーデッキに光センサを内蔵し、ステップの側面に反射板を設置し、光センサから発光された光がステップとスカートガードの間を通過し、反射板で反射し、戻ってきた光を受光することによりステップとスカートガードの間に靴や服が引き込まれたことを検出し、エスカレータを停止するエスカレータ安全保護装置が提案されている（例えば、特許文献１参照）。
【０００３】
また、乗客コンベア装置において、ステップが特定位置にあることを検知するステップ位置検出装置と、ステップ踏面上の物体がスカートガードパネルに接近したことを検知する物体検出装置と、ステップが特定位置にあることをステップ位置検出装置が検知している間に物体検出装置が物体を検知した時に物体検出装置の近傍に警告を発する警告装置とを備える（例えば、特許文献２参照）。
【先行技術文献】
【特許文献】
【０００４】
【特許文献１】特開平８−１２２３８号公報
【特許文献２】特開２００９−１７９４４８号公報
【発明の概要】
【発明が解決しようとする課題】
【０００５】
しかし、特許文献１に記載のエスカレータ安全保護装置では、ステップとスカートガードの間に隙間がなければ適用することができないとともに、検出するときは既にステップとスカートガードの間まで靴や服が移動しており、警報するタイミングが遅すぎるという問題がある。
また、特許文献２に記載の乗客コンベア装置では、無端状に連結されたステップの半分位の位置に物体検出装置を配置しなくてはならず、多額のコストが掛かるという問題がある。
【０００６】
この発明は、前記のような課題を解決するためになされたものであり、靴や服などがステップとスカートガードの間に引き込まれる前に警報を発する安価なエスカレータ引き込まれ防止装置を得ることを目的とする。
【課題を解決するための手段】
【０００７】
この発明に係るエスカレータ引き込まれ防止装置は、インナーデッキの側面に固定されるとともにステップの上面のデマケーションクリートまたはクリートライザとの間の距離を計測する距離センサと、計測された距離が不規則に変化したときステップとスカートガードの間に異物が近づいていると判断する異物接近検知部と、異物が近づいていると判断したとき注意を喚起する注意換気部と、を備える。
【発明の効果】
【０００８】
この発明に係るエスカレータ引き込まれ防止装置は、インナーデッキの側面の任意の位置からステップの上面のデマケーションクリートまたはクリートライザとの間の規則的に変化する距離の不規則な変化を検知することにより、異物がステップとステップガードの間に接近していると判断できるので、安価にエスカレータの引き込まれを防止することができる。
【図面の簡単な説明】
【０００９】
【図１】この発明の実施の形態１に係るエスカレータ引き込まれ防止装置の構成図である。
【図２】距離センサによるデマケーションクリートとの間の距離を計測する様子を示す。
【図３】距離センサによる計測したデマケーションクリートとの間の距離の変化の様子を示す。
【図４】デマケーションクリート上に異物が存在するときの距離センサによる計測したデマケーションクリートとの間の距離の変化の様子を示す。
【図５】基準とする距離と計測した距離との差分である。
【図６】この発明の実施の形態２に係るエスカレータ引き込まれ防止装置の構成図である。
【図７】距離センサによるクリートライザとの間の距離の変化の様子を示す。
【図８】この発明の実施の形態３に係るエスカレータ引き込まれ防止装置の構成図である。
【発明を実施するための形態】
【００１０】
以下、本発明のエスカレータ引き込まれ防止装置の好適な実施の形態につき図面を用いて説明する。
実施の形態１．
図１は、この発明の実施の形態１に係るエスカレータ引き込まれ防止装置の構成図である。
この発明に係るエスカレータは、無端状に連結された複数のステップ２と、インナーデッキ３と、インナーデッキ３の下端から下方に延びるスカートガード４と、を備える。以下の説明では、この発明を上下の階床間を運行するエスカレータに適用する例で説明するが、歩く歩道などにも適用することができる。
ステップ２の上面には、スカートガード４に対向する辺にデマケーションクリート５が配設されている。
【００１１】
この発明の実施の形態１に係るエスカレータ引き込まれ防止装置は、インナーデッキ３の下端にステップ２側に突き出るように配置されるとともにステップ２のデマケーションクリート５に向いて距離を計測する距離センサ６と、距離センサ６により計測された距離に基づき靴や服などの異物がスカートガード４に接近しているか否かを検知する異物検知部７と、異物がスカートガード４に接近していることが検知されたとき利用者に注意を喚起する注意喚起部８と、を備える。
距離センサ６は、赤外線センサであり、赤外線をステップ２のデマケーションクリート５に向けて上方より照射し、デマケーションクリート５の上に異物がないときには、図２（ａ）のように赤外線がデマケーションクリート５で反射し、デマケーションクリート５の上に異物１０があるときには、図２（ｂ）のように赤外線が異物１０で反射し、反射して戻った赤外線を受光して、デマケーションクリート５または異物１０までの距離を計測する。なお、距離センサ６は赤外線センサに限るものではなく、超音波センサなど距離を計測できるものであれば適用することができる。
【００１２】
距離センサ６とデマケーションクリート５との距離は、デマケーションクリート５上に異物がなければ、乗降口の付近を除いたところを走行するステップ２はほぼ上昇速度が一定であるので、図３（ａ）に示すように、三角波のように変化する。上昇する１つのステップ２のデマケーションクリート５上に赤外線が照射される点があるときには、距離は一定の減少率で減少する。そして、赤外線が照射される点がステップ２の端に達すると、次に上昇してくるステップ２のデマケーションクリート５上を照射するので、一瞬のうちに距離が増加する。
【００１３】
一方、乗降口の付近に距離センサ６を配置したときには、ステップ２は水平に移動するので、デマケーションクリート５上に異物がなければ、図３（ｂ）に示すように、距離は一定に推移する。
【００１４】
次に、デマケーションクリート５上に異物１０、例えば靴が載っかっているときの距離の変化を説明する。
最初に乗降口の付近を除いて上昇速度がほぼ一定でステップ２が上昇するところに距離センサ６を配置したときに計測される距離について説明する。
デマケーションクリート５上に異物がないときより靴の厚さだけ距離が短くなるので、図４（ａ）に示すように、デマケーションクリート５上に異物がないことを確認したときの距離を基準とすれば、靴があることが検知できる。
【００１５】
基準とする距離と計測した距離とを比較するときには、隣接するステップ２の間に見られる急激な距離の変化が起こった時点を揃える。すると、デマケーションクリート５上に異物がない場合には、図５（ａ）の点線で示すように、基準とする距離と計測した距離との差分は殆ど零である。他方、デマケーションクリート５上に靴がある場合には、図５（ａ）の実線で示すように、基準とする距離と計測した距離との差分は靴の厚さ分発生する。
【００１６】
次に、乗降口の付近を平行移動するステップ２の上方に距離センサ６を配置したときに計測される距離について説明する。
デマケーションクリート５上に異物がないときより靴の厚さだけ距離が短くなるので、図４（ｂ）に示すように、デマケーションクリート５上に異物がないことを確認したときの距離を基準とすれば、靴があることが検知できる。
【００１７】
基準とする距離と計測した距離とを比較するときには、基準とする距離は常に一定であるので、デマケーションクリート５上に異物がない場合には、図５（ｂ）の点線で示すように、基準とする距離と計測した距離との差分は殆ど零である。他方、デマケーションクリート５上に靴がある場合には、図５（ｂ）の実線で示すように、基準とする距離と計測した距離との差分は靴の厚さ分発生する。
【００１８】
異物検知部７は、エスカレータの試運転または始業時にデマケーションクリート上に異物が存在していないことを確認してから距離を計測しそれを基準とする距離として記憶する。
また、異物検知部７は、エスカレータが通常に運転されているとき、計測した距離を取込み、基準時点を合わせて計測した距離と基準とする距離との差分を求め、差分が予め定めた閾値以上のときデマケーションクリート５の上の靴を検知する。
【００１９】
なお、基準とする距離は、上述のように異物１０がデマケーションクリート５上に載っかっていないときに計測することにより得ても良いが、ステップ２の傾斜角度、速度、奥行きなどの仕様から求めても良い。
【００２０】
この発明の実施の形態１に係るエスカレータ引き込まれ防止装置は、靴や服などがステップ２とスカートガード４の間に引き込まれる前に警報を発する安価なエスカレータ引き込まれ防止装置を得る。
また、少なくとも異物１０が引き込まれ易いエスカレータの箇所に距離センサ６を１つ設置すれば良いので、安価に引き込まれ防止対策を施すことができる。
【００２１】
なお、距離センサ６を配置する数は、エスカレータの利用状況を勘案して適宜決めれば良い。
【００２２】
実施の形態２．
図６は、この発明の実施の形態２に係るエスカレータ引き込まれ防止装置の構成図である。
この発明の実施の形態２に係るエスカレータ引き込まれ防止装置は、この発明の実施の形態１に係るエスカレータ引き込まれ防止装置と距離センサ６が計測する距離が異なり、それ以外は同様であるので、同様な部分に同じ符号を付記し説明を省略する。
この発明の実施の形態２に係る距離センサ６は、インナーデッキ３のステップ２側に突き出るように配置され、赤外線をクリートライザ１２に水平に照射し、ステップ２のデマケーションクリート５上に異物１０が載っかっていないときには、赤外線がクリートライザ１２で反射し、反射して戻った赤外線を受光して、クリートライザ１２までの距離を計測する。
デマケーションクリート５上に異物１０が載っていると、赤外線が異物で反射し、反射して戻った赤外線を受光して、異物１０までの距離を計測する。
【００２３】
距離センサ６とクリートライザ１２との距離は、デマケーションクリート５上に異物がなければ、乗降口の付近を除いたところを走行するステップ２はほぼ上昇速度が一定であるので、図４に示すように、三角波のように変化する。上昇する１つのクリートライザ１２を赤外線で照射しているときには、距離は曲線の増加率で増加する。そして、赤外線が照射する点がステップの面に達すると、次に上昇してくるクリートライザを照射するので、一瞬のうちに距離が減少する。
【００２４】
次に、デマケーションクリート５上に異物１０、例えば靴が載っかっているときの距離の変化を説明する。
最初に乗降口の付近を除いて上昇速度がほぼ一定でステップが上昇するところに距離センサを配置したときに計測される距離について説明する。
デマケーションクリート上に異物がないときより靴の厚さだけ距離が短くなるので、デマケーションクリート上に異物がないことを確認したときの距離を基準とすれば、靴があることが検知できる。
【００２５】
実施の形態３．
図８は、この発明の実施の形態３に係るエスカレータ引き込まれ防止装置の構成図である。
この発明の実施の形態３に係るエスカレータ引き込まれ防止装置は、インナーデッキ３の下端にステップ２側に突き出るように配置されるとともにステップ２のデマケーションクリート５に向いて距離を計測する２つの距離センサ６と、２つの距離センサ６により計測された距離に基づき異物がスカートガード４に接近しているか否かを検知する異物検知部７Ｂと、異物がスカートガード４に接近していることが検知されたとき利用者に注意を喚起する注意喚起部８と、を備える。
２つの距離センサ６は、ステップ２の進む方向に対して線対称の位置の左右のインナーデッキ３に配置される。そして、それぞれの距離センサ６が計測する距離は、両側のデマケーションクリート５上に異物がない場合、図３（ａ）に示すような、規則的に変化する。
【００２６】
一方、片側のデマケーションクリート５上に異物がある場合、図４（ａ）に示すように、異物１０の厚さだけ距離が短くなるので、２つの距離センサ６が計測する距離の差分を求めることにより、デマケーションクリート５上に異物１０があり、スカートガード４に接近していることを検知できる。
【００２７】
この発明の実施の形態３に係るエスカレータ引き込まれ防止装置は、距離センサ６が左右対称の位置に配置されているので、距離センサ６が計測した距離を単に除算することにより異物１０を検知することができる。
【符号の説明】
【００２８】
２  ステップ、３  インナーデッキ、４  スカートガード、５  デマケーションクリート、６  距離センサ、７、７Ｂ  異物検知部、８  注意喚起部、１０  異物、１２  クリートライザ。
【図１】
2011178525.tif 000003
【図２】
2011178525.tif 000004
【図３】
2011178525.tif 000005
【図４】
2011178525.tif 000006
【図５】
2011178525.tif 000007
【図６】
2011178525.tif 000008
【図７】
2011178525.tif 000009
【図８】
2011178525.tif 000010